(57)【要約】オーナーが、無料ホスティングを簡単に実施することができる広告情報の提供方法である。オーナーが募集したユーザーのＷｅｂページに、オーナーにより指定されたバナー広告８ｂに加えて、無料ホスティングシステムを実施するためのコンピュータシステムを管理・運用するシステム管理者により指定されたバナー広告８ａが掲載されており、オーナー及びシステム管理者の両者が広告収入を得ることができる。これにより、オーナーはコンピュータシステムの管理などの煩雑な業務から開放され、ユーザー募集のような自分の得意な業務に経営資源を集中することができる。
2003003266.tif 000002
【特許請求の範囲】
【請求項１】
インターネットに接続され、Ｗｅｂページの情報を蓄積するサーバーコンピュータの記憶領域をユーザーに無料で貸与する代わりに、ユーザーのＷｅｂページ上に広告情報を掲載する無料ホスティングサービスを利用した広告情報の供給方法であって、
Ｗｅｂページ上に、前記無料ホスティングサービスを主催するオーナーによって指定された広告情報に加えて、前記サーバーコンピュータを含むコンピュータシステムを管理・運用するシステム管理者によって指定された広告情報が掲載されていることを特徴とする広告情報の供給方法。
【請求項２】
システム管理者及び（又は）オーナーによる広告情報を削除する代わりに、システム管理者及び（又は）オーナーが、各ユーザーに広告情報が掲載されたダイレクトメールを送信することを特徴とする請求の範囲第１項に記載の広告情報の供給方法。
【発明の詳細な説明】
技術分野
この発明は、インターネットに代表されるコンピュータネットワーク上で行われる広告情報の供給方法に関し、特に、Ｗｅｂページに広告を挿入するのと引き換えに、ユーザーが無料でホスティングサービスを受けることができる広告情報の供給方法に関する。
背景技術
近年、パーソナルコンピュータの技術革新や普及にともなって、インターネットの利用、特にＷｅｂページを利用した情報の発信が盛んになってきている。
さて、インターネットによるＷｅｂページの公開は、情報の発信者が、高性能のサーバー、常時接続の高速通信回線、ルータなどからなるコンピュータシステムを自ら用意して行うこともある。
しかし、これらコンピュータシステムは、高価であり、取扱に高度な技術力を必要とするため、情報の発信者（ユーザー）が、サーバーコンピュータが備える記憶装置の記憶領域の一部を借りて、すなわち、いわゆるホスティングサービスを利用して、Ｗｅｂページの公開を行うことが多い。
一方、Ｗｅｂページはその内容によって、閲覧者の職業、年齢、居住地域、趣味などが限定されることが多いため、よく閲覧されるＷｅｂページに広告（バナー広告など）を掲載することによって、対象を絞った効率のよい広告活動を行うことができる。そのため、よく閲覧されるＷｅｂページは広告価値が高く、バナー広告の掲載が行われるようになってきている。
そこで、近年、これらの流れを受けて、無料ホスティングサービスが盛んになってきている。なお、無料ホスティングサービスとは、Ｗｅｂページを作成するユーザーにサービスの提供者（オーナー）がインターネットに接続されたサーバーコンピュータの記憶領域を無料で貸与する代わりに、オーナーは、前記記憶領域に記憶されているＷｅｂページ上にバナー広告などを掲載して、広告主からの広告掲載料によって収益を得るものである。
さて、上記従来からある無料ホスティングサービスを提供するには、オーナーは、（１）サーバーコンピュータの管理保守、（２）ドメインの取得、（３）通信回線やルータなどのシステム管理、（４）コンテンツ（Ｗｅｂページやバナー広告など）の作成、（５）ホスティングサービスの広告、ユーザーの勧誘等のプロモーション、（６）各ユーザーへのサポートサービスなどの全てを自ら行う必要があった。そのため、人的、金銭的資源に乏しい、個人や中小企業がサービスを提供するのは困難であるとの問題点があった。
そこでこの発明は、上記（１）〜（６）のうち、高い技術的知識を必要とする（１）〜（３）をオーナーに代わって、コンピュータシステムを熟知したシステム管理者が行うことにより、オーナーが簡単に無料ホスティングサービスを始めることができるとともに、ユーザーのＷｅｂページに、オーナーの指定する広告（広告掲載料はオーナーの収入）に加えて、システム管理者の指定する広告（広告掲載料はシステム管理者の収入）を掲載することにより、オーナーとシステム管理者の両者が広告収入を得ることができる広告情報の供給方法を提供する。
発明の開示
すなわちこの発明にかかる広告情報の供給方法は、インターネットに接続され、Ｗｅｂページの情報を蓄積するサーバーコンピュータの記憶領域をユーザーに無料で貸与する代わりに、ユーザーのＷｅｂページ上に広告情報を掲載する無料ホスティングサービスを利用した広告情報の供給方法であって、Ｗｅｂページ上に、前記無料ホスティングサービスを主催するオーナーによって指定された広告情報に加えて、前記サーバーコンピュータを含むコンピュータシステムを管理・運用するシステム管理者によって指定された広告情報が掲載されていることを特徴とする。なお、ここで広告情報とは、Ｗｅｂページに表示されるバナー広告、テキスト広告などのことである。
また、前記広告情報は、Ｗｅｂページ上に掲載するほか、ダイレクトメールに掲載しユーザーに配布してもよい。
このように、無料ホスティングサービスを行うサーバーなどのコンピュータシステムの管理を、オーナーに代わってシステム管理者が行うことにより、オーナー及びシステム管理者は、自らが得意とする業務に経営資源を集中することができ、それぞれの業務を効率よく進めることができる。
発明を実施するための最良の形態
以下、この発明の一実施の形態について、図面に基づいて説明する。
第１図は、この発明にかかる広告情報の供給方法を実現するための広告システム（以下、システムと略す。）１の構成を示すブロック図であり、システム管理者、オーナー、ユーザーは、このシステム１によって、各種情報が記載されたＷｅｂページとともに、広告情報をＷｅｂページの閲覧者に供給することができる
第１図に示すように、システム１は、サーバーコンピュータ（以下、サーバーと略す。）Ｓと、オーナー、ユーザー及びＷｅｂページの閲覧者等によって使用される複数の端末ＰＣなどから構成されており、サーバーＳと端末ＣはインターネットＩによって互いに結ばれている。
端末ＰＣは、ＷＷＷ閲覧機能（ブラウザ）を備えたパソコンであり、インターネットＩを通じてサーバーＳに蓄積されているデータを閲覧・印刷することができるとともに、サーバーＳにデータを入力・蓄積させることもできる。なお、端末ＰＣは、データーをモニタに表示する手段、インターネットＩに接続する手段等通常のパソコンが備えている各種手段を備えている。
サーバーＳは、各種演算を行う演算装置Ｓ１及び各種情報等を記憶する記憶装置Ｓ２を備えている。また、記憶装置Ｓ２は、表形式で情報を記憶する各種情報記憶部及び情報処理を行う各種手段等を備えており、これらの内容については以下に説明する。
なお、ここでいう手段とは実行可能な形式で記憶されたプログラムのことである。また、サーバーＳは、以下に説明する各情報記憶部及び手段に加えて、データーをモニタに表示する手段、インターネットに接続する手段、Ｗｅｂページを送信する手段などの通常のサーバーが備えている各種手段を備えている。また、図示はしないものの、モニタやキーボードなどの通常のサーバーコンピュータが備えているハードウェアも備えている。
利用者情報記憶部Ｓ２ａは、システム１を利用するオーナー及びユーザーのＩＤ、パスワード等の認証に関する情報、オーナーやユーザーによって管理されるＷｅｂページのＵＲＬなどのページ関連情報、及び氏名、住所、電話番号などの利用者の属性に関する情報を、例えば、表形式で各利用者ごとに記憶している。
ページ情報記憶部Ｓ２ｂは、ユーザーによって蓄積され、ＨＴＭＬファイルやＪＰＥＧファイルなどからなるＷｅｂページの情報、バナー広告の情報等のページ情報を記憶している。なお、ページ情報記憶部Ｓ２ｂは、第１図に示すように、各オーナー毎に複数の記憶領域に分かれており、各ユーザーのページ情報はそれぞれのオーナーの記憶領域に蓄積されている。
登録認証手段Ｓ２ｃは、サーバーＳを利用しようとするオーナーやユーザーにＩＤ及びパスワードを発行し、当該ＩＤ及びパスワードにより利用者を認証して不適切な者の利用を防ぐ。
ページ操作手段Ｓ２ｄは、端末ＰＣからの要求に応じて、ページ情報記憶部Ｓ２ｂに記憶されているページ情報を端末ＰＣに送信したり、端末ＰＣからページ情報を構成する各種ファイル（ＨＴＭＬ、ＪＰＥＧなど）を受信して、各ユーザーごとに設けられた特定の記憶領域に記憶させる。
このようにして構成されたシステム１によって、広告情報を提供するまでの動作について、（１）オーナーの登録、（２）ユーザーの登録及びページ情報の登録、（３）広告の挿入、（４）情報の閲覧、に分けて以下に説明する。
（１）オーナーの登録
まず、オーナーが自らの端末ＰＣから、サーバーＳにアクセスし、システム管理者が設けた申込ページ（第２図参照）によって、必要事項を入力し、「登録」ボタン２１をクリックして、システム管理者に無料ホスティングサービスの運用を申し込むと、入力された内容が電子メールなどによりシステム管理者に通知される。
つぎに、システム管理者が、申込の内容を検討して、申込みを認める場合には電子メールにより、サーバーＳにアクセスするためのＩＤとパスワードを送信する。
申込みが認められたオーナーは、自らの端末ＰＣで無料ホスティングサービスの運用に必要なＨＴＭＬやＪＰＥＧファイルを作成し、作成したファイルをＦＴＰやＣＧＩによって、サーバーＳのページ情報記憶部Ｓ２ｂにアップロードして記憶させ、ユーザーを勧誘する勧誘ページ（第３図参照）などを公開する。
公開が完了すると，オーナーは、雑誌広告やＭＬなどを通じて、ユーザーの勧誘を行うとともに、広告の出稿者を募集する。
（２）ユーザーの登録及びページ情報の登録
まず、ユーザーが自らの端末ＰＣから、サーバーＳにアクセスし、勧誘ページ（第３図参照）に設けられている「申し込み」ボタン３１をクリックすると、端末ＰＣのモニタ上に登録ページ（第４図参照）が表示される。
つぎに、ユーザーが、登録ページ（第４図参照）に必要事項を入力し、登録ページ上の「申し込み」ボタン４１をクリックすると、ユーザーがサーバーＳにアクセスするのに必要なＩＤとパスワードが電子メール（第５図参照）によりユーザーに送信される。
電子メール（第５図参照）を受け取ると、ユーザーは、自らの端末ＰＣでＷｅｂページの公開に必要なＨＴＭＬやＪＰＥＧファイルを作成し、サーバーＳにアクセスして、勧誘ページ（第３図参照）に設けられている「ログイン」ボタン３２をクリックして、認証ページ（第６図参照）を表示させる。
最後に、ユーザーが、認証ページ（第６図参照）のＩＤ欄６１及びパスワード欄６２に、それぞれＩＤとパスワードを入力し、「アカウントにログオン」ボタン６３をクリックすると、サーバーＳによって認証がなされ、ファイル登録画面（第７図参照）が表示される。そこで、ユーザーが、ＣＧＩを利用して作成したファイルをサーバーＳのページ情報記憶部Ｓ２ｂにアップロードして記憶させる。なお、各種ファイルは、ファイル登録画面（第７図参照）からアップロードするほか、ＦＴＰによって行ってもよい。
（３）広告の挿入
オーナーとシステム管理者が、記憶されているＨＴＭＬファイルにバナー広告を掲載するためのＨＴＭＬ文を書き込んで、バナー広告の画像ファイルをアップロードし、Ｗｅｂページ上にバナー広告８ａ、８ｂが表示（第８図参照）されるようにする。または、ＨＴＭＬ言語が備えるフレーム機能を利用して、自動的にユーザーのＷｅｂページ上にバナー広告９ａ、９ｂが表示されるようにしてもよい（第９図参照）。
（４）情報の閲覧
Ｗｅｂページを構成するページ情報と広告情報が、サーバーＳに記憶されると、閲覧者が、通常のＷｅｂページを閲覧するのと同様の方法により閲覧することができるようになり、Ｗｅｂページとともにバナー広告も閲覧されるようになる。
このように、システム管理などの技術的に高度な事柄を、オーナーに代わってシステム管理者が行うことによって、無料ホスティングシステムを容易に実施することができた。また、公開されるユーザーのＷｅｂページに、システム管理者による広告、オーナーによる広告の２種類の広告を挿入することにより、オーナーとシステム管理者の両者が広告主からの広告掲載料を受け取ることができ、両者とも広告による収益を得ることができた。
なお、この発明は上記実施例に限定されるものではなく、請求の範囲に記載された技術的範囲内において様々な変形を加えることができる。
まず、上記の実施例では、バナー広告はＷｅｂページの最上部及び最下部に挿入されていたが、他の場所、例えば、第１０図に示すように右端部や左端部にバナー広告１０ａ、１０ｂを挿入してもよく、第１１図に示すようにオーナーによるバナー広告１１ｂを別ウインドウで表示してもよい。
また、オーナー及びシステム管理者による広告に加えて、ユーザーが自らのＷｅｂページ上に他のバナー広告を挿入してもよい。
さらに、上記実施例のように、システム管理者及びオーナーによるバナー広告をユーザーＷｅｂページに挿入することにより、システム管理者及びオーナーが収入を得るほか、例えば、（ａ）システム管理者及び（又は）オーナーによる広告情報を削除する代わりに、システム管理者及び（又は）オーナーが、各ユーザーに広告情報が掲載されたダイレクトメールを送信し、その広告収入をシステム管理者及び（又は）オーナーが受取るようにしてもよく、（ｂ）システム管理者による広告のみを挿入して、システム管理者のみが広告収入を得るようにしてもよく、（ｃ）使用できるドメイン名の範囲やディスク容量などのホスティングリソースを追加する際に、ユーザーから追加料金を徴収するようにしてもよい。
加えて、各端末はパソコン以外の専用端末、ゲーム機、携帯可能なＰＤＡなどであってもよく、サーバーＳの各種記憶部や手段が複数のコンピュータ上に分散配置されていてもよい。
産業上の利用可能性
この発明にかかる広告情報の供給方法によれば、システム管理などの技術的に高度な事柄を、オーナーに代わってシステム管理者が行うため、無料ホスティングサービスを容易に実施することができる。また、公開されるユーザーのＷｅｂページに、システム管理者による広告、オーナーによる広告の２種類の広告を挿入することなどにより、オーナーとシステム管理者の両者が広告主から広告掲載料を受け取ることができる。
【図面の簡単な説明】
第１図は、この発明にかかる広告情報の提供方法を実施するための広告システムの構成を示すブロック図である。また、第２図は「申込みページ」の一画面構成例であり、第３図は「勧誘ページ」の一画面構成例であり、第４図は、「登録ページ」の一画面構成例である。また、第５図は「電子メール」の一例を示す図であり、第６図は「認証ページ」の一画面構成例であり、第７図は「ファイル登録ページ」の一画面構成例である。さらに、第８図は「Ｗｅｂページ」の一画面構成例であり、第９図、第１０図及び第１１図は「Ｗｅｂページ」の他の画面構成例である。
【図１】
2003003266.tif 000003
【図２】
2003003266.tif 000004
【図３】
2003003266.tif 000005
【図４】
2003003266.tif 000006
【図５】
2003003266.tif 000007
【図６】
2003003266.tif 000008
【図７】
2003003266.tif 000009
【図８】
2003003266.tif 000010
【図９】
2003003266.tif 000011
【図１０】
2003003266.tif 000012
【図１１】
2003003266.tif 000013
【国際調査報告】
2003003266.tif 000014
2003003266.tif 000015